(57)【特許請求の範囲】
【請求項１】
古い駅コードから新しい駅コードに振替え処理するための定期券発売機の本体に記憶されている駅コード振替テーブルと、
前記定期券発売機の本体に挿入された継続定期券の元となる原定期券に記録されているデータを読取る読取手段と、
読取られたデータ中から前記原定期券の発行日を抽出する抽出手段と、
抽出された前記原定期券の発行日が古い駅コードを使用している期間内に発行され、現在、新しい駅コードに変更されているときに前記駅コード振替テーブルを参照してその原定期券の駅コードを振替える振替手段と、
を有することを特徴とする定期券発売機。
【請求項２】
請求項１に記載の定期券発売機において、駅コード振替テーブルには、駅コードを変更する期間の開始日及びその終了日、並びに古い駅コード及び新しい駅コードのデータが記憶されていることを特徴とする定期券発売機。
【請求項３】
請求項１または２に記載の定期券発売機において、定期券発売機の本体は、利用者操作型であることを特徴とする定期券発売機。
【発明の詳細な説明】
【０００１】
【発明の属する技術分野】
本発明は、定期券発売機に係り、特に、継続定期券を発行できるものに関する。
【０００２】
【従来の技術】
従来、例えば、利用者操作型の定期券発行機は、その定期券発売機の本体の挿入口に継続定期券の基礎となる原定期券（旧定期券）が挿入されると、その原定期券に記録されている発駅，着駅の駅データ等の所定のデータが読取られて新しく発行される継続定期券（新定期券）に書込まれるように構成されている。そして、定期券発売機の本体に新定期券の購入代金を満たす金銭（プリペイドカード等のカード類で支払う場合も含んでいる。）が投入されると、新たな有効期間の継続定期券が発行される。
【０００３】
【発明が解決しようとする課題】
しかしながら、上記従来の定期券発売機は、新しく継続定期券を発行するとき、利用者操作型又は係員操作型であっても、定期券の発駅及び着駅の駅コードのデータは、原定期券から読取ったデータを用いているので、原定期券の発行時から新しい継続定期券の発行時までの間に新駅の増設などにより駅コードが変更されていると所定の定期券の発行ができなくなる欠点があった。
【０００４】
より具体的に説明すると、原定期券の乗車区間の発駅がＡ駅で、そのＡ駅の駅コードが「００１−００５」で、着駅がＣの場合、Ａ駅の駅コードがＢ駅の新設のために「００１−００４」に変更になり、そのＢ駅の駅コードとして「００１−００５」が割り当てられたとすると、新たに発行される継続定期券の駅コードは、Ｂ駅が発駅でＣ駅が着駅となってしまう。
【０００５】
そこで、本発明は、上記欠点を解決するためになされたものであって、その目的は、駅コードに変更があっても原定期券の乗車区間の継続定期券を発行することのできる定期券発売機を提供することにある。
【０００６】
【課題を解決するための手段】
本発明に係る定期券発売機は、上記目的を達成するために、請求項１に記載の発明は、古い駅コードから新しい駅コードに振替え処理するための定期券発売機の本体に記憶されている駅コード振替テーブルと、前記定期券発売機の本体に挿入された継続定期券の元となる原定期券に記録されているデータを読取る読取手段と、読取られたデータ中から前記原定期券の発行日を抽出する抽出手段と、抽出された前記原定期券の発行日が古い駅コードを使用している期間内に発行され、現在、新しい駅コードに変更されているときに前記駅コード振替テーブルを参照してその原定期券の駅コードを振替える振替手段と、を有することを特徴としている。
本発明の請求項２に記載の定期券発売機は、駅コード振替テーブルには、駅コードを変更する期間の開始日及びその終了日、並びに古い駅コード及び新しい駅コードのデータが記憶されていることを特徴としている。
本発明の請求項３に記載の定期券発売機は、定期券発売機の本体は、利用者操作型であることを特徴としている。
【０００７】
【発明の実施の形態】
以下、本発明の実施の形態を図面に基づいて説明する。図１は、一実施の形態に係る定期券発売機を利用者操作型としたときの正面図であって、その定期券発売機の本体（以下、「発売機本体」という。）ａの正面図である。この発売機本体ａの正面中央部には、タッチパネル式の表示画面１と、その表示画面１の左隣りには、係員と応答したいときに押下される呼出釦２ａ及び定期券の購入動作を途中で中止したいときに押下される取消釦２ｂが設けられている。
【０００８】
発売機本体ａの正面の下部上段には、定期券の購入代金をプリペイドカード等のカード類で支払うときのカードを挿入するカード挿入口３ａ、その購入代金を紙幣で支払うときの紙幣を挿入する紙幣投入口３ｂ、及びその購入代金を硬貨で支払うときの硬貨を投入する硬貨投入口３ｃが設けられている。
【０００９】
発売機本体ａの正面の下部下段には、釣銭硬貨の排出口４ａ、釣札の排出口４ｂ、継続定期券発行の場合の旧定期券（原定期券）を挿入する挿入口５、及び新たな定期券（継続定期券を含む。）が発券される発券口６が設けられている。
【００１０】
図１中、Ｃは、マイクロコンピュータ（ＣＰＵ）を中心に形成された、発売機本体ａを統括的に制御する制御器である。図２は、この制御器Ｃの電気的構成を示している。制御器ＣのＣＰＵ１０は、第１メモリ１１に格納（記憶）されている定期券発行用の料金データテーブルＴ1 や駅コード振替テーブルＴ2 等の所定のデータ及び第２メモリ１２に格納されている制御プログラムを用いて演算処理を行うように構成されている。また、このＣＰＵ１０は、表示画面１の表示を駆動制御する可変表示部１３と、表示画面１の入力を駆動制御するタッチパネル入力部１４と、硬貨投入口３ｃから投入された硬貨を検銭処理する硬貨処理部１５と、紙幣挿入口３ｂから挿入された紙幣を検銭処理する紙幣処理部１６と、挿入口５に挿入された原定期券に記録されている磁気データの読取処理を行う定期券処理部１７と、発売機本体ａの裏面側に設けられ、発売機本体ａを発券モード等の各種のモードに設定したり、あるいは発売機本体１の保守点検時に係員によって操作されるテンキーを有する係員操作部１８と、釣銭排出口４ａに釣銭を排出する釣銭処理部１９と、カード挿入口３ａに挿入されたプリペイドカード等のカード類を処理するカード処理部２０と、券面に所定の内容を印字するとともに、所定の磁気データを記録した新たな定期券を作成して発券口６に発行する発券処理部２１とが接続されている。なお、原定期券あるいは新たに発行される定期券が無線通信機能を備えたＩＣカードからなる非接触券の場合は、定期券処理部１７及び発券処理部２１には、その非接触券とデータ授受を行うためのアンテナを備えたリーダライタが設けられる。
【００１１】
上記第１メモリ１１に格納されている駅コード振替テーブルＴ2 は、本発明の特徴をなすデータテーブルで、その内容は、図２の右側下部に示されている。すなわち、この駅コード振替テーブルＴ2 は、駅コードが変更されるごとに作成されて記憶されている。ここでは、変更１から変更ｎまでの複数個の駅コード振替データが記憶されている。そして、各駅コード振替テーブルＴ2 のデータ中には、図２の駅コード振替テーブルＴ2 の下方の定義例に示されるうな、駅コードを変更する期間の開始日を示す開始日データ、駅コードを変更する期間の終了日を示す終了日データ、変更前の駅コードを示す旧コード及び変更後の駅コードを示す新コードが記憶されている。なお、定義例で示される「０００／００／００」は、上述の開始日又は終了日が設定されていないことを意味し、したがって、ＣＰＵ１０における所定の演算処理では、開始日又は終了日はないものとして取り扱われる。
【００１２】
以下、図３のフローチャートを用いて制御動作について説明する。今、新たな継続定期券の発行を希望する利用者によって挿入口５に原定期券（旧定期券）が挿入されたとする（ステップ１００肯定。以下、ステップを「Ｓ」とする。）。挿入口５に挿入された原定期券は、定期券処理部１７を介してその原定期券に記録されているデータが読み取られる（Ｓ１０２）。なお、このフローチャートでは省略されているが、原定期券の有効期間が継続定期券を発行できる所定の期間前であるとき、あるいは、原定期券の有効期間経過から所定期間経過していて継続定期券の発行ができないときは、表示画面１に継続定期券の発行時期到来時後に操作する旨、あるいは、新規定期券発行の操作を行うようにとの表示がなされる。
【００１３】
原定期券に基づいて新たな継続定期券の発行が可能なときは、その原定期券に記録されているデータ中から定期券の発駅コード、着駅コード及び原定期券の発行日が抽出（取得）されるとともに、第１メモリ１１に格納されている駅コード振替テーブルＴ2 が展開されて原定期券の発行日を基にした参照が開始される（Ｓ１０４，Ｓ１０６，Ｓ１０８）。そして、原定期券の発行日が古い駅コードを使用している期間内に発行され、現在、新しい駅コードに変更されているときは、その古い駅コードから新しい駅コードへの振替処理が行われる（Ｓ１１０肯定、Ｓ１１４）。
【００１４】
新たに発行される継続定期券には、上述の振替処理後された駅コードを用いて、又は、上述の振替処理の必要がないときは振替されない駅コードを用いて（Ｓ１１０否定又はＳ１１２否定）継続定期券に発駅コード及び着駅コードが記録される。そして、紙幣投入口３ｂ等に新たに発行される継続定期券の購入代金を満たす金銭が投入されると、発券口６から継続定期券が発行される（Ｓ１１８）。この継続定期券の発行に当たっては、表示画面１から利用者によって有効期間（１箇月、３箇月又は６箇月）が入力されるが、ここでは省略されている。
【００１５】
なお、上述の例では、発売機本体ａは、利用者操作型としたが、係員操作型であってもよいことはもちろんであ。
【００１６】
【発明の効果】
本発明の請求項１に係る定期券発売機は、古い駅コードから新しい駅コードに振替え処理するための発売機本体に記憶されている駅コード振替テーブルと、前記発売機本体に挿入された継続定期券の元となる原定期券に記録されているデータを読取る読取手段と、読取られたデータ中から前記原定期券の発行日を抽出する抽出手段と、抽出された前記原定期券の発行日が古い駅コードを使用している期間内に発行され、現在、新しい駅コードに変更されているときに前記駅コード振替テーブルを参照してその原定期券の駅コードを振替える振替手段とからなるので、駅コードに変更があっても原定期券に基づいて正確な継続定期券を発行することができる。
本発明の請求項２に記載の定期券発売機は、駅コード振替テーブルに駅コードを変更する期間の開始日及びその終了日、並びに古い駅コード及び新しい駅コードのデータが記憶されているので、正確な継続定期券を発行することができる。
本発明の請求項３に記載の定期券発売機は、定期券発売機の本体が、利用者操作型であるので、利用者自身の操作においても正確な継続定期券を発行することができる。
【図面の簡単な説明】
【図１】本発明の一実施の形態に係る定期券発売機の正面図である。
【図２】制御器の電気的構成を示すブロック図及び駅コード振替テーブルである。
【図３】制御動作を示すフローチャートである。
【符号の説明】
１  表示画面
２ａ  呼出釦
２ｂ  取消釦
３ａ  カード挿入口
３ｂ  紙幣挿入口
３ｃ  硬貨投入口
４ａ，４ｂ  排出口
５  発券口
Ｃ  制御器
ａ  定期券発売機の本体（発売機本体）
Ｔ2   駅コード振替テーブル
【図１】
0003848878.tif 000002
【図２】
0003848878.tif 000003
【図３】
0003848878.tif 000004